【事件の表示】
　特許第３１８５３４７号「施肥装置付き苗植機」の請求項１に係る特許に対する特許異議の申立てについて、次のとおり決定する。
【結　論】
　訂正を認める。
　特許第３１８５３４７号の請求項１に係る特許を維持する。
【理　由】
１．手続の経緯
　特許第３１８５３４７号の請求項１に係る発明についての出願は、平成４年４月７日に出願され、平成１３年５月１１日にその特許権が設定登録され、その後特許異議の申立てがなされ、取消の理由を通知したところ、その指定期間内である平成１４年７月８日に訂正請求がなされ、この訂正請求について特許異議申立人に回答を求めたが応答されていない。
  
２．訂正請求について
２-1．訂正の内容
　特許権者が求めている訂正の内容は、次のとおりである（下線部分が訂正個所である）。
（１）訂正事項ａ
　特許明細書における特許請求の範囲の請求項１（本件特許公報1頁下段左欄１０〜１１行）に記載された「移植具５とを備えた施肥装置付き苗植機において、」を、「移植具５とを備え
、苗植付け装置２の前後方向に伸びる複数の伝動フレーム４１の夫々に移植具５を設け
（２）訂正事項ｂ
　特許明細書における特許請求の範囲の請求項１（同公報1頁下段右欄４〜６行）に記載された「苗取り量調節杆６３の介在により肥料供給管３３が苗載せ台２０に接触することを防ぐようにしたことを特徴とする」を、「苗取り量調節杆６３の介在により肥料供給管３３が苗載せ台２０に接触することを防ぐように
すると共に、左右両端の伝動フレーム４１より左右外側の肥料供給管３３の前方にガード５１を配置
（３）訂正事項ｃ
　特許明細書の段落【０００５】（同公報2頁左欄３９行〜同頁右欄２行）に記載された「苗受け枠６に設けた苗分割口６１から苗載せ台２０上の苗をとって圃場に植付ける移植具５とを備えた施肥装置付き苗植機において、施肥装置３により施肥する肥料を乗用車体１の後部に配置した肥料ホッパ３１側から苗植付け装置２の下部に向けて送る肥料供給管３３を、苗載せ台２０の下方を通って機体側面視で前記苗受け枠６の下方近傍にのびるよう配置し、苗受け枠６の高さを調節操作するために苗受け枠６と並行して左右方向にのびる苗取り量調節杆６３を、前記肥料供給管３３と苗載せ台２０との間であってかつ肥料供給管３３と前後に対向するように配置して、苗取り量調節杆６３の介在により肥料供給管３３が苗載せ台２０に接触することを防ぐようにしたことを特徴とする施肥装置付き苗植機としたものである。」を、
　「苗受け枠６に設けた苗分割口６１から苗載せ台２０上の苗をとって圃場に植付ける移植具５とを備え
、苗植付け装置２の前後方向に伸びる複数の伝動フレーム４１の夫々に移植具５を設け
すると共に、左右両端の伝動フレーム４１より左右外側の肥料供給管３３の前方にガード５１を配置
（４）訂正事項ｄ
　特許明細書の段落【００１３】（同公報３頁左欄３２行）に記載された「外方側にに突出して、」を、「外方側
に
（５）訂正事項e
　特許明細書の【００１９】（同公報4頁左欄１０〜１１行）の記載について、「受てしまう」を、「受
け
（６）訂正事項ｆ
　特許明細書の【００１９】（同公報４頁左欄１１行）に記載された「生じにくくなる。」を、「生じにくくなる。
また、左右両端の伝動フレーム４１より左右外側の肥料供給管３３の前方に、ガード５１が配置される。
２-2．訂正の適否
（１）訂正事項ａについて
　上記訂正事項ａは、特許請求の範囲に「苗植付け装置２の前後方向に伸びる複数の伝動フレーム４１の夫々に移植具５を設けた」構成を加えて限定するものであって、しかもこの構成については願書に添付された明細書の段落【００１０】、【図２】及び【図３】に記載されているから、訂正事項ａによる訂正は、特許請求の範囲の減縮を目的とするものであって、新規事項を追加するものではなく、且つ、実質的に特許請求の範囲を拡張又は変更するものではない。
（２）訂正事項ｂについて
　上記訂正事項ｂは、特許請求の範囲に「左右両端の伝動フレーム４１より左右外側の肥料供給管３３の前方にガード５１を配置した」構成を加えて限定するものであって、しかもこの構成については願書に添付された明細書の【００１３】及び【図３】に記載されているから、訂正事項ｂによる訂正は、特許請求の範囲の減縮を目的とするものであって、新規事項を追加するものではなく、且つ、実質的に特許請求の範囲を拡張又は変更するものではない。
（３）訂正事項ｃ及びｆについて
　上記訂正事項ｃ及びｆは、上記訂正事項ａ及びｂによる訂正と整合性を図るために、発明の詳細な説明を訂正しようとするものであるから、明りようでない記載の釈明を目的とするものであって、新規事項を追加するものではなく、且つ、実質的に特許請求の範囲を拡張又は変更するものではない。
（４）訂正事項ｄ及びｅについて
　上記訂正事項ｄは「外方側にに突出して、」とある誤記を「外方側に突出して、」と訂正しようとするものであり、上記訂正事項ｅは「受てしまう」とある誤記を「受けてしまう」と訂正しようとするものであるから、訂正事項ｄ及びｅは、誤記の訂正を目的とするものであって、新規事項を追加するものではなく、且つ、実質的に特許請求の範囲を拡張又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．特許異議の申立て理由の概要
　本件請求項１に係る発明は、甲第１号証に記載された発明に周知技術（甲第２号証の１〜甲第３号証の３）を適用することにより、当業者が容易に発明をすることができたものであるから、その特許は、特許法第２９条第２項の規定に違反してされたものであり、特許法第１１３条第１項第２号の規定により取り消されるべきである。
　　　　　　　　　　　記
　甲第１号証：特開平３−１１９９０５号公報
　甲第２号証の１：特開平３−１１２４０６号公報
　甲第２号証の２：特開平３−２４０４０６号公報
　甲第２号証の３：特開平４−２３９１０号公報
　甲第２号証の４：特開平４−２０２０３号公報
　甲第３号証の１：実願昭５９−１６９５９８号（実開昭６１−８３８２４号）のマイクロフイルム
　甲第３号証の２：実願昭６０−６１４６号（実開昭６１−１２２６３６号）のマイクロフイルム
　甲第３号証の３：実願昭６０−３９３６２号（実開昭６１−１５４７２７号）のマイクロフイルム
　
３-2．本件発明
　上記２．で示したように上記訂正が認められるから、本件請求項１に係る発明（以下「本件発明」という。）は、訂正後の特許請求の範囲の請求項１に記載された事項により特定される次のとおりのものである。
　「乗用車体１の後側に苗植付け装置２と施肥装置３を装着し、苗植付け装置２に、上面側の苗載せ面が後下がりに傾斜する苗載せ台２０と、該苗載せ台２０上に載せた苗の下端を受止める左右方向にのびる苗受け枠６と、該苗載せ台２０の苗受け枠６近傍部からその上側にわたって設けられ苗載せ台２０上に載せた苗を苗受け枠６側に送る苗送り装置２０ａと、苗受け枠６に設けた苗分割口６１から苗載せ台２０上の苗をとって圃場に植付ける移植具５とを備え、苗植付け装置２の前後方向に伸びる複数の伝動フレーム４１の夫々に移植具５を設けた施肥装置付き苗植機において、施肥装置３により施肥する肥料を乗用車体１の後部に配置した肥料ホッパ３１側から苗植付け装置２の下部に向けて送る肥料供給管３３を、苗載せ台２０の下方を通って機体側面視で前記苗受け枠６の下方近傍にのびるように配置し、苗受け枠６の高さを調節操作するために苗受け枠６と並行して左右方向にのびる苗取り量調節杆６３を、前記肥料供給管３３と苗載せ台２０との間であってかつ肥料供給管３３と前後に対向するように配置して、苗取り量調節杆６３の介在により肥料供給管３３が苗載せ台２０に接触することを防ぐようにすると共に、左右両端の伝動フレーム４１より左右外側の肥料供給管３３の前方にガード５１を配置したことを特徴とする施肥装置付き苗植機。」
　
３-3．引用刊行物に記載された発明
（１）甲第１号証（特開平３−１１９９０５号公報）には、以下の事項が記載されている。
（１-a）「苗植装置８が上下一対のリンク９，９で走行車体１の後方に装着され、油圧シリンダ１０から後に突出するラム１１の出没で上下に移動するように出来ている。この苗植装置８は、上が前に傾いて左右に移動する苗載台１２と、その苗載台１２の下部を通って地面に降下する植付杆１３と、地面上を滑走するフロート１４を備えている。また、苗載台１２と植付杆１３は植付伝動ケース１５に支えられ、このケース１５内にはエンジン４の動力がプロペラシャフト１６で導入されて上記の苗載台１２と植付杆１３とが駆動されるようになっている。」（２頁右上欄２０行〜左下欄１１行）
（１-b）「施肥装置１７の要部である肥料タンク１８が座席６と苗載台１２の間で走行車体１に取付けられる。」（２頁左下欄１２〜１４行）
（１-c）「肥料タンク１８ごとにブローア２５とエアチャンバー２６を備え、エアチャンバ２６から吹き出された風がパイプ２７で繰出部１９の下を通ってこの繰出部１９から落下した肥料をホースに送り、それぞれのホース２８の下端は、フロート１４に取付けたそれぞれの作溝具２９に開放されている。」（２頁右下欄４行〜９行）
（１-d）「なお、苗載台１２は、下端が開放され、苗取口を有するＬ形の受板３０で受けられ、この受板３０を苗載台１２とともに上下に移動させ、もって植付杆１３が欠ぎ取る苗の深さを変えて苗の植付本数を調節するが、この植付本数調節するための操作具３１を肥料タンク１８，１８間に設けると良い。」（３頁右上欄４行〜１０行）
（１-e）第１図及び第２図から「苗載台１２のＬ形の受板３０近傍部からその上側にわたって設けられ苗載台１２上に載せた苗をＬ形の受板３０側に送る苗送り装置を設けた」点及び「苗植装置８の前後方向に伸びる複数の植付伝動ケース１５の夫々に植付杆１３を設けた」点が看取できる。
　これらの記載事項によれば、刊行物１には、
　座席６を有し乗用の走行車体１の後側に苗植装置８と施肥装置１７を装着し、苗植装置８に、上面側の苗載せ面が後下がりに傾斜する苗載台１２と、該苗載台１２上に載せた苗の下端を受止める左右方向にのびるＬ形の受板３０と、苗載台１２のＬ形の受板３０近傍部からその上側にわたって設けられ苗載台１２上に載せた苗をＬ形の受板３０側に送る苗送り装置と、Ｌ形の受板３０に設けた苗分割口から苗載台１２上の苗をとって圃場に植付ける植付杆１３とを備え、苗植装置８の前後方向に伸びる複数の植付伝動ケース１５の夫々に植付杆１３を設けた施肥装置付き苗植機において、施肥装置１７により施肥する肥料を乗用の走行車体１の後部に配置した肥料タンク１８側から苗植装置８の下部に向けて送るホース２８を、苗載台１２の下方を通って機体側面視で前記Ｌ形の受板３０の下方近傍にのびるように配置し、またＬ形の受板３０は一本の操作具３１で上下移動され植付杆１３が欠ぎ取る苗の深さを変えて苗の植付本数を調節する施肥装置付き苗植機（以下、「甲第１号証の発明」という。）が記載されていると認められる。
（２）甲第２号証の１（特開平３−１１２４０６号公報）には、
（２-a）「施肥装置６０は、・・・該繰出し機から繰り出された肥料を後記作溝器６４によって圃場に形成された施肥溝に導く施肥パイプ６３とを備えている。・・・施肥パイプ６３は、そこから後方に伸びた後、苗載台５１の裏面（前面）に沿って垂下され、その下端部に前記施肥溝に臨む施肥口が設けられている。」（２頁右下欄第１７行〜３頁左上欄８行）
と記載されている。
（２-b）第４図には、左右方向にのびる部材によって施肥パイプ６３の下部を支持する構成が示されている。
（３）甲第２号証の２（特開平３−２４０４０６号公報）には、
（３-a）「実施例では硬管３３に対して軟管３５を外套させて移動自由に挿通ならしめ、その繋ぎ目の外側に蛇腹状に形成した伸縮カバー３６を両者の連繋する管３３、３５に連結して互いに引き付けあうように設けている。
　下部側の硬管３４は作溝器側に固着されている。また、軟管３５の先端部側は前記支持杆２６に取付けられている。」（３頁左上欄１４行〜同頁右上欄１行）
（３-b）第１，２図には、硬管３４の下部を作溝器Ｃに固着した構成が示されている。
（４）甲第２号証の３（特開平４−２３９１０号公報）には、
（４-a）「前後通路２７の後端部に、可撓性を有する合成樹脂製ホースからなる施肥ホース３１の前端部を連通させ、この施肥ホース３１は、移植部１２の苗載せ台２２の上部を下側から支持する苗載せ台支持杆３２の下部に下部を固定し、上部を苗載せ台支持杆３２の上端部にコイルバネを介して吊持している。」（３頁左上欄１０行〜１５行）と記載されている。
（４-b）第１，２図には、施肥ホース３１を、苗載せ台２２の下部に支持させた構成が示されている。
（５）甲第２号証の４（特開平４−２０２０３号公報）には、
（５-a）「固定ホース３１は、移植部１２の苗載せ台２１の上部を下側から支持する苗載せ台支持杆３２に下部を固定し、上部を苗載せ台支持杆３２にコイルバネを介して吊持して、その下端部をフロート２２の側方の圃場面近くまで延出させている。この固定ホース３１の下端部に施肥ノズル３３を連結し、該施肥ノズル３３の前側に開溝板３４を取付けている。」（３頁左上欄１９行〜右上欄５行）と記載されている。
（５-b）第１，２図には、固定ホース３１を苗載せ台支持杆３２の下部に支持させた構成が示されている。
（６）甲第３号証の１
（実願昭５９−１６９５９８号（実開昭６１−８３８２４号）のマイクロフイルム）には、以下の事項が記載されている。
（６-a）「苗載台の苗取出し板を適宜可変させて植付爪による苗取出し量を調節するようにした構造において、前記苗取出し板を支持する調節軸を複数の植付駆動ケース上面に形成する凹部溝に支承させるように構成したことを特徴とする田植機の植付装置。」（実用新案登録請求の範囲）
（６-b）「苗載台（１３）の傾斜下端で苗を支持する苗取出し板（１５）を上下調節板（２８）、調節ピン（２９）並びに長孔（３０）を介し前記アーム（２５）に連結支持させると共に、前記調節板（２８）に固設する係合板（３１）を切欠溝（３２）、ガイドピン（３３）、揺動アーム（３４）並びに調節軸（３５）を介して苗取出し量調節レバー（３６）に連結させて、このレバー（３６）操作でもって前記苗取出し板（１５）の上下位置の調節を行い苗の取出し量を可変させるように構成している。」（４頁１７行〜５頁５行）
３-3．対比・判断
　本件発明と甲第１号証の発明とを対比すると、甲第１号証の発明は、本件発明の構成要件である「苗受け枠６の高さを調節操作するために苗受け枠６と並行して左右方向にのびる苗取り量調節杆６３を、前記肥料供給管３３と苗載せ台２０との間であってかつ肥料供給管３３と前後に対向するように配置して、苗取り量調節杆６３の介在により肥料供給管３３が苗載せ台２０に接触することを防ぐようにすると共に、左右両端の伝動フレーム４１より左右外側の肥料供給管３３の前方にガード５１を配置」した構成を備えていない。
　そして、甲第２号証の１ないし甲第２号証の４には、肥料ホッパ側から苗植付け装置の下部に向けて送る肥料供給管を支持部材に固定することは記載されているが、左右両端の伝動フレームより左右外側の肥料供給管の前方にガードを配置することが記載されていない。
　また、甲第３号証に１には、多条植え用の苗植機において、苗受け枠（苗取出し板（１５））を調節操作するために該苗受け枠と並行して左右方向にのびる苗取り量調節杆（調節軸（３５））を設けることが記載されている（甲第３号証の２及び甲第３号証の３にも同様な技術が記載されている。）が、左右両端の伝動フレームより左右外側の肥料供給管の前方にガードを配置することは記載されていない。
　結局、甲第１号証ないし甲第３号証の３には、本件発明の構成要件である「苗受け枠６の高さを調節操作するために苗受け枠６と並行して左右方向にのびる苗取り量調節杆６３を、前記肥料供給管３３と苗載せ台２０との間であってかつ肥料供給管３３と前後に対向するように配置して、苗取り量調節杆６３の介在により肥料供給管３３が苗載せ台２０に接触することを防ぐようにすると共に、左右両端の伝動フレーム４１より左右外側の肥料供給管３３の前方にガード５１を配置」した構成が記載されておらず、且つ示唆されてもいない。
　そして、本件発明は明細書記載の効果を奏するものであるから、本件発明が甲第１号証ないし甲第３号証の３に記載された発明に基づいて当業者が容易に発明をすることができたものとすることはできない。
　
３-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月２日（２００３．９．２）
【訂正の要旨】
審決（決定）の【理由】欄参照。
（５４）【発明の名称】
施肥装置付き苗植機
（５７）【特許請求の範囲】
　【請求項１】　乗用車体１の後側に苗植付け装置２と施肥装置３を装着し、苗植付け装置２に、上面側の苗載せ面が後下がりに傾斜する苗載せ台２０と、該苗載せ台２０上に載せた苗の下端を受止める左右方向にのびる苗受け枠６と、該苗載せ台２０の苗受け枠６近傍部からその上側にわたって設けられ苗載せ台２０上に載せた苗を苗受け枠６側に送る苗送り装置２０ａと、苗受け枠６に設けた苗分割口６１から苗載せ台２０上の苗をとって圃場に植付ける移植具５とを備え
、苗植付け装置２の前後方向に伸びる複数の伝動フレ−ム４１の夫々に移植具５を設け
すると共に、左右両端の伝動フレ−ム４１より左右外側の肥料供給管３３の前方にガ−ド５１を配置
【発明の詳細な説明】
　【０００１】
　【産業上の利用分野】
　本発明は、施肥装置を取付けた苗植機に関する。
　【０００２】
　【従来の技術】
　従来、乗用車体の後側に苗植付け装置と施肥装置を装着し、苗植付け装置に、上面側の苗載せ面が後下がりに傾斜する苗載せ台と、該苗載せ台上に載せた苗の下端を受止める左右方向にのびる苗受け枠と、該苗載せ台の苗受け枠近傍部からその上側にわたって設けられ苗載せ台上に載せた苗を苗受け枠側に送る苗送り装置と、苗受け枠に設けた苗分割口から苗載せ台上の苗をとって圃場に植付ける移植具とを備えた苗植機において、施肥装置により施肥する肥料を乗用車体の後部に配置した肥料ホッパ側から苗植付け装置の下部に向けて送る肥料供給管を、苗載せ台の下方を通って機体側面視で前記苗受け枠の下方近傍にのびるよう配置したものがあった。
　【０００３】
　【発明が解決しようとする課題】
　上記の従来の苗植機は、施肥装置の肥料ホッパを乗用車体の後部に配置したものであるので、肥料ホッパを苗植付け装置後部に取り付けた従来のものと比べて、機体の前後重量バランスの点で有利である。また、施肥装置の肥料供給管が、機体側面視で苗受け枠の下方近傍までのびて配置されているから、苗受け枠に設けた苗分割口から苗が分割されて植付けられた苗の近傍に施肥することができ、植え始めの苗の近傍個所から施肥が行える利点がある。しかし、そのため、肥料供給管が苗載せ台の苗受け枠近傍部からその上側にわたって設けられ苗送り装置と接近して配置されることになり、作業中に肥料供給管が苗載せ台に接近するよう揺れると、肥料供給管が苗送り装置に接触し損傷を受てしまうおそれがあった。
　【０００４】
　そこで、本発明は、機体の前後重量バランスが良好となるよう施肥装置を取り付けたものとし、しかも、植え始めの苗の近傍個所から施肥が行えるよう肥料供給管を配置したものとしながらも、肥料供給管が苗送り装置に接触して損傷を受てしまうことが生じにくくなるようにすることを課題とする。
　【０００５】
　【課題を解決するための手段】
　本発明は、上記課題を解決するために、乗用車体１の後側に苗植付け装置２と施肥装置３を装着し、苗植付け装置２に、上面側の苗載せ面が後下がりに傾斜する苗載せ台２０と、該苗載せ台２０上に載せた苗の下端を受止める左右方向にのびる苗受け枠６と、該苗載せ台２０の苗受け枠６近傍部からその上側にわたって設けられ苗載せ台２０上に載せた苗を苗受け枠６側に送る苗送り装置２０ａと、苗受け枠６に設けた苗分割口６１から苗載せ台２０上の苗をとって圃場に植付ける移植具５とを備え
、苗植付け装置２の前後方向に伸びる複数の伝動フレ−ム４１の夫々に移植具５を設け
すると共に、左右両端の伝動フレ−ム４１より左右外側の肥料供給管３３の前方にガ−ド５１を配置
　【０００６】
　【作用】
　上記構成の施肥装置付き苗植機では、肥料ホッパ３１が乗用車体１の後部に配置され、肥料供給管３３が苗載せ台２０の下方を通って機体側面視で前記苗受け枠６の下方近傍にのびるよう配置され、しかも、苗受け枠６の高さを調節操作するために苗受け枠６と並行して左右方向にのびる苗取り量調節杆６３が、肥料供給管３３と苗載せ台２０との間に配置される。したがって、苗取り量調節杆６３は、肥料供給管３３が苗載せ台２０に接近するよう揺れて苗送り装置２０ａに接触するのを生じにくくするよう作用する。
　【０００７】
　【実施例】
　図１は夫々本発明の実施例に係る苗植機の全体構成を示す側面図、図２、図３は夫々同実施例の要部を示す側面図、及び平面図である。この苗植機は、乗用車体１の後方側に、油圧シリンダ機構１１により駆動される昇降リンク１２を介して、図示したように上面側の苗載せ面が後下がりに傾斜する苗載せ台２０を備えた苗植付け装置２を装着してなる。
　【０００８】
　前記乗用車体１の運転座席１３の下方側にはエンジン１４が搭載されると共に、このエンジン１４の動力は、ミッションケース１５内で変速され、ＰＴＯ軸を介して取り出されて後輪１６、１６伝達される。またミッションケース１５の側方には変更可能に前輪支持ケース１７が設けられ、この支持ケース１７に前輪１８、１８が軸支されている。前記乗用車体１の前部にはハンドルポスト１９が配設され、このハンドルポスト１９にチルト可能にステアリングハンドル１９ａが取り付けられている。
　【０００９】
　前記乗用車体１の後部に肥料ホッパ３１が位置するようにして施肥装置３が配設されている。この施肥装置３は、一定量の肥料が充填される凹部を外周面の周方向に間隔を置いて形成した定量供給ローラ３２を、肥料ホッパ３１の下方側に配置すると共に、定量供給ローラ３２の回動により漏斗部３２ａを介して落下した肥料を、施肥装置本体の下部に接続された肥料供給管としての肥料供給ホース３３に風を送り出すように、エンジン１４により駆動されるブロア３４が送風管３５及びエアータンク３５ａを介して設けられている。
　【００１０】
　前記昇降リンク１２の後方側の縦リンク１２ａと一体の支持体２１には、支軸２２を介して、苗植付け装置２に設けられた伝動ケース４の左右方向中間部がローリング自在に取り付けられている。この伝動ケース４は、図３に示すように左右両端の移植具５、５の配置に対応して左右方向に伸びると共に中間部が上下に分離されて間隙Ｓが形成されており、夫々前後方向に伸びる伝動フレーム４１により各移植具５に連結される。
　【００１１】
　前記苗載せ台２０には、苗載せ台２０上に載せた苗を苗受け枠６側に送る苗送り装置２０ａが付設されると共に、苗載せ台２０の下端には、苗載せ台２０に沿って左右方向に伸びる苗受け枠６が設けられている。したがって、苗載せ台２０上に載せた苗の下端はこの苗受け枠６で受止められる。また、この苗受け枠６には、当該苗載せ台２０に載せられた苗を移植具５が分割するための苗分割口６１が移植具５に対応した位置に形成されている。前記伝動枠４１には、支持プレート６２を介して苗取り量調節杆である調節パイプ６３が苗受け枠６と並行に伸びかつ回動自在に取り付けられており、この調節パイプ６３には回動アーム６４が設けられている。なお、図示するように、苗送り装置２０ａは、苗載せ台２０の苗受け枠６近傍部からその上側にわたって設けられ、肥料供給管３３は、苗載せ台２０の下方を通って機体側面視で苗受け枠６の下方近傍にのびるよう配置している。
　【００１２】
　６５は苗受け枠６を保持する保持部であり、回動アーム６４の先端部の溝６４ａ内に係合されると共に回動アーム６４の回動により苗載せ台２０の裏面に案内されながら昇降し、これにより苗受け枠６の高さが調節される。前記苗取り量調節パイプ６３の中間部より右方側に偏移した位置に、レバーガイド６６にガイドされる苗取り量調節レバー６７が取り付けられ、この調節レバー６７を上下に回動することにより、前記調節パイプ６３が回動される。６８は、後述のセンターフロート８の枢支部の上下の調節を行う植付け深さ調節レバーである。
　【００１３】
　前記苗取り量調節パイプ６３の両端には、Ｕ字状のガード用パイプ５１の一端が嵌合されると共に、このガード用パイプ５１の他端が伝動ケース４に固定されており、その屈曲端部は苗受け枠６の両端部よりも外方側
に
　【００１４】
　前記苗植付け装置２の底面部には、両側に整地用のサイドフロート７、７、中央に整地用のセンターフロート８が取り付けられており、前記作溝部３７は、これらフロート７、７、８に固定されている。
　【００１５】
　次に上述実施例の作用について述べる。上述の移植機は、水田に導入され、苗植付け装置２を下降させてフロート７、７、８が田面に接した状態で乗用車体１に牽引させ、乗用車体１から、伝動された動力により移植具５を作動させて所定の間隔で例えば６条の苗を植付ける。そして施肥装置３のホッパ３１内の肥料３１が定量供給ローラ３２により漏斗３２ａを介して落下し、ブロア３４からの送風によって肥料供給ホース３３内に送られ、該肥料供給ホース３３により施肥装置３により施肥する肥料を乗用車体１の後部に配置した肥料ホッパ３１側から苗植付け装置２の下部に向けて送る。そして、その送られた肥料は、作溝部３７により作溝された溝内に施肥される。
　【００１６】
　また苗取り量調整レバー６７を操作して前記調節パイプ６３を回動させることにより苗受け枠６の高さ位置が変わり移植具５により苗取り量が調節される。そして苗植付け装置２の走行に伴い、肥料供給ホース３３が揺動するが、苗載せ台２０の苗送り装置２０ａの作動部などとの間には苗取り量調節パイプ６３が介在しているので、肥料供給ホース３３と前記作動部などの苗載せ台２０の裏面側部分との干渉を防止できる。そして苗受け枠６の両端部の予定軌道上に障害物が存在する場合例えば畦の一部が突出している場合でも、ガード用パイプ５１により苗受け枠６がガードされるので、苗受け枠６の損傷を防止できる。
　【００１７】
　ここで移植機例えば田植機の製作時には、当該田植機を支面に置いたときに、センターフロート８の迎い角即ち底面と当該支面とのなす角度θを設定値に設定するが、例えば５条用のセンターフロート８の場合、図４、図５に示すようにパーティングライン８１の中央より前方位置の屈曲点と後端部を夫々突出させて測定用マーク部８２、８３を形成し、これらマーク部８２、８３の支面からの高さｈ１、ｈ２が等しいときに迎い角θが設定値となるように、マーク部８２、８３の位置を設定する。このようにすれば、測定用マーク部８２、８３を各々センターフロート８の底面８４から同じ高さ位置に形成する場合に比べて、マーク部８２、８３を結ぶラインと支面とのなす角度を測定する手間が省け、単にそのラインと支面との平行を確認すれば即ちｈ１＝ｈ２となるように設定すればよいので、迎い角θの設定が容易である。なお、図６は６条用のセンターフロート８を示す。
　【００１８】
　また図７は、サイドフロート７を底面側から見た図であり、底面に前後方向に形成された溝７１は、前部側の反り上っている部分においては、前に向かう程横幅が斬次広くかつ深さが浅くなっており、水平な部分においては、横幅が一定でその後端部において深さが緩かに浅くなっている。このように溝７１を形成すれば、サイドフロート７の泥抜けをよくし、泥押しをなくすことができる。
　【００１９】
　【発明の効果】
　よって、本発明は、肥料ホッパ３１が乗用車体１の後部に配置されて機体の前後重量バランスが良好となるよう施肥装置３を取り付けたものであって、施肥装置３により施肥する肥料を乗用車体１の後部に配置した肥料ホッパ３１側から苗植付け装置２の下部に向けて送る肥料供給管３３を、苗載せ台２０の下方を通って機体側面視で前記苗受け枠６の下方近傍にのびるよう配置して、植え始めの苗の近傍個所から施肥が行えるよう肥料供給管を配置したものであり、なお且つ、苗受け枠６の高さを調節操作するために苗受け枠６と並行して左右方向にのびる苗取り量調節杆６３を、肥料供給管３３と苗載せ台２０との間に配置したものであるから、肥料供給管３３が苗送り装置２０ａに接触して損傷を受
け
また、左右両端の伝動フレ−ム４１より左右外側の肥料供給管３３の前方に、ガ−ド５１が配置される。
【図面の簡単な説明】
　【図１】本発明の実施例の全体構成を示す側面図である。
　【図２】同実施例の要部を示す側面図である。
　【図３】同実施例の要部を示す平面図である。
　【図４】センターフロートの一例を示す側面図である。
　【図５】センターフロートの一部を示す平面図である。
　【図６】センターフロートの一例を示す側面図である。
　【図７】サイドフロートを底面側から見た斜視図である。
　【符号の説明】
　１　乗用車体
　２　苗植付け装置
　２０　苗載せ台
　３　施肥装置
　３３　肥料供給ホース
　５　移植具
　６　苗受け枠
　６３　苗取り量調節パイプ
　７　サイドフロート
　８　センターフロート